(57)【要約】【課題】開口部下部をシールするシール部材のシール面、摺動面を効果的に構築し、シール性能を維持しながらも閉塞動作時の操作力と扉体への反発力を低減し、扉体閉塞時の作業性と施錠解除時の安全性を向上させた高性能な食器洗い機を提供する。【解決手段】本体２内部に設けられ被洗浄物１０を収容し開口部４の下方にシール部材当接部３を有する洗浄槽６と、洗浄水を被洗浄物１０に噴射する洗浄ノズル９と、開口部４を開閉しシール部材当接部３と当接することによって開口部４下部をシールするシール部材１を有する扉体５とを備え、シール部材１は、シール部材当接部３と当接する屈曲部１ｃをシール面側に突出させた形状としたものであり、これによりシール性能を維持しながらも閉塞動作の操作力と扉体５への反発力を低減し、扉体５閉塞時の作業性と施錠解除時の安全性を向上させることができる。【選択図】図１
2014012059.tif 000002
【特許請求の範囲】
【請求項１】
被洗浄物を出し入れするための開口部を有する本体と、前記本体内部に設けられ被洗浄物を収容し前記開口部の下方にシール部材当接部を有する洗浄槽と、前記洗浄槽内に設けられ洗浄水を被洗浄物に噴射する洗浄ノズルと、前記開口部を開閉し、前記シール部材当接部と当接することによって前記開口部下部をシールするシール部材を有する扉体とを備え、前記シール部材は、前記シール部材当接部と当接する屈曲部を有し、前記屈曲部はシール面側に突出させた形状とした食器洗い機。
【請求項２】
前記シール部材は、前記屈曲部の突出させた形状の裏面を除肉して凹部を形成した請求項１に記載の食器洗い機。
【請求項３】
前記シール部材は、前記屈曲部を複数備え、前記扉体が前記開口部を閉塞する時、前記複数の屈曲部が前記シール部材当接部と当接する形状とした請求項１または２に記載の食器洗い機。
【請求項４】
前記シール部材は、前記扉体が前記開口部を閉塞する時、前記シール部材当接部に対して摺動する部位に前記屈曲部を有する形状とした請求項１〜３のいずれか１項に記載の食器洗い機。
【請求項５】
前記シール部材は、その先端部に鞭形状を有する形状とした請求項１〜４のいずれか１項に記載の食器洗い機。
【請求項６】
前記シール部材は、前記扉体が前記開口部を閉塞した時に前記シール部材当接部と当接する複数のシール部を有し、その少なくとも一つのシール部に前記屈曲部を配した請求項１〜５のいずれか１項に記載の食器洗い機。
【請求項７】
前記シール部材当接部は複数の当接部で構成され、前記シール部材は、前記扉体が前記開口部を閉塞する時、前記複数のシール部が、前記複数の当接部のうち、それぞれ異なる当接部に順次連続して摺動し、それぞれ当該当接部との間をシールするように構成した請求項６に記載の食器洗い機。
【発明の詳細な説明】
【技術分野】
【０００１】
本発明は、食器等を洗浄する食器洗い機に関する。より詳しくは、本発明は、食器洗い機の前面の開口部の底部をシールするシール部材の形状構成に関する。
【背景技術】
【０００２】
従来この種の食器洗い機は、食器等の被洗浄物を出し入れする開口部からの洗浄水及び蒸気の漏れを防止するために、扉体の下端部には閉塞時に洗浄槽に圧接する弾性体（例えばゴム）で形成されたシール部材が設けられている。シール部材は２重のシール部で構成されており、扉体を閉じた時に洗浄槽の前面底部内壁に２重で圧接することにより、洗浄槽と扉体の間において高いシール性を実現している（例えば、特許文献１参照）。
【０００３】
図７は従来のこの種の一般的な食器洗い機を示したもので、以下、その構成について説明する。図７において、食器洗い機は食器等の被洗浄物１０を本体２の前面に設けた開口部４から洗浄槽６内に収容し、開口部４を扉体５により閉塞してから、洗浄ポンプ８を運転し、洗浄ポンプ８によって加圧された洗浄水を洗浄ノズル９から噴射することにより、被洗浄物１０の洗浄及びすすぎを行うように構成されている。開口部４を閉塞する扉体５の下部には弾性体（例えばゴム）で形成されたシール部材１０１が設けられている。
【０００４】
図８は従来の食器洗い機の開口部下部をシールするシール部材の側面図である。図８において、シール部材１０１はシール部１０１ａと洗浄槽汚れ防止部１０１ｂとで構成されており、図７において、扉体５を閉じた時に、本体２内に収納された洗浄槽６の前面底部内壁に設けられた傾斜状のシール部材当接部１０３にシール部１０１ａを圧接する。これにより、シール部材１０１は、食器洗い機を運転中、洗浄水や蒸気の前方への漏れを防ぐとともに、洗浄槽汚れ防止部１０１ｂを洗浄槽６の傾斜状のシール部材当接部１０３に圧接することで洗浄槽６の傾斜部への汚れの堆積を防止し、同時に第２のシールとして洗浄水や蒸気の漏れを防ぐことができる。
【先行技術文献】
【特許文献】
【０００５】
【特許文献１】特開２０１１−４５４５２号公報
【発明の概要】
【発明が解決しようとする課題】
【０００６】
しかしながら、このような従来の食器洗い機では、シール部材１０１は洗浄槽６の傾斜状のシール部材当接部１０３をシールすること、及び前記傾斜部を覆うことが主たる目的であることから、シール部材１０１のシール面は一様の平面で扉体５閉塞時に傾斜状のシール部材当接部１０３に対して垂直に近くなる様構成されており、扉体５を本体２に閉塞する際、当接位置によっては扉体５の閉塞動作中に大きな操作力を要したり、閉塞後に扉体５に対して強い反発力が残ったりして、扉体５閉塞には好ましからざる状況を招来していた。また、扉体５の施錠解除時には、前記反発力によって強い勢いで扉体５が全開する場合があり、安全性を損なうおそれがあるという課題も有していた。さらに、シール性能の不足を補うための別部材（例えば、特許文献１における保護部材１３）を必要とするという課題も有していた。
【０００７】
本発明は、上記従来の課題を解決するもので、シール性能を維持しながらも、扉体の閉塞動作中の反発力を低減し、扉体の閉塞作業性を向上させるとともに、扉体の施錠解除時の反発力を抑制し、扉体の開成の安全性を向上させた、高品質な食器洗い機を提供するこ
とを目的とする。
【課題を解決するための手段】
【０００８】
本発明は上記目的を達成するために、被洗浄物を出し入れするための開口部を有する本体と、前記本体内部に設けられ被洗浄物を収容し前記開口部の下方にシール部材当接部を有する洗浄槽と、前記洗浄槽内に設けられ洗浄水を被洗浄物に噴射する洗浄ノズルと、前記開口部を開閉し、前記シール部材当接部と当接することによって前記開口部下部をシールするシール部材を有する扉体とを備え、前記シール部材は、前記シール部材当接部と当接する屈曲部を有し、前記屈曲部はシール面側に突出させた形状とした食器洗い機である。
【０００９】
これにより、シール性能を維持しながらも閉塞動作時の操作力および扉体への反発力を低減し、扉体閉塞時の作業性と施錠解除時の安全性を向上させた高性能な食器洗い機が実現可能となる。
【発明の効果】
【００１０】
本発明の食器洗い機によれば、扉体閉塞動作中の操作力を低減し、閉塞時の作業性を向上させることが可能となるとともに、扉体への反発力を抑制することが可能となる。また、扉体施錠解除時の扉体の強い勢いでの全開を抑制し、扉体開成の安全性を向上させた高品質な食器洗い機を提供することができる。
【図面の簡単な説明】
【００１１】
【図１】本発明の実施の形態１における食器洗い機の側面断面図
【図２】（ａ）本発明の実施の形態１における食器洗い機の扉体の正面図（ｂ）同扉体の側面図
【図３】本発明の実施の形態１における食器洗い機の開口部下部をシールするシール部材の側面図
【図４】本発明の実施の形態１における食器洗い機のシール部材の扉体への取り付け構成を示す説明図
【図５】（ａ）本発明の実施の形態１における食器洗い機の扉体開成時の側面図及び要部拡大断面図（ｂ）同食器洗い機の扉体開閉途中の側面図及び要部拡大断面図
【図６】（ａ）本発明の実施の形態１における食器洗い機の扉体開閉途中の側面図及び要部拡大断面図（ｂ）同食器洗い機の扉体閉塞時の側面図及び要部拡大断面図
【図７】従来の食器洗い機の側面断面図
【図８】従来の食器洗い機の開口部下部をシールするシール部材の側面図
【発明を実施するための形態】
【００１２】
第１の発明の食器洗い機は、被洗浄物を出し入れするための開口部を有する本体と、前記本体内部に設けられ被洗浄物を収容し前記開口部の下方にシール部材当接部を有する洗浄槽と、前記洗浄槽内に設けられ洗浄水を被洗浄物に噴射する洗浄ノズルと、前記開口部を開閉し、前記シール部材当接部と当接することによって前記開口部下部をシールするシール部材を有する扉体とを備え、前記シール部材は、前記シール部材当接部と当接する屈曲部を有し、前記屈曲部はシール面側に突出させた形状としたものである。これにより、シール性能を維持しつつ、扉体の閉塞作業性を向上させた高品質な食器洗い機を実現できる。また、扉体施錠解除時の扉体の強い勢いでの全開を抑制し、扉体開成の安全性を向上させた高品質な食器洗い機を実現できる。
【００１３】
第２の発明は、第１の発明において、前記シール部材は、前記屈曲部の突出させた形状の裏面を除肉して凹部を形成したことにより、シール部材がシール部材当接部と当接した際の抵抗を軽減し、屈曲性能を向上させることができる。また、扉体閉塞時のシール部材
の変形による反発力を低減し、閉塞の作業性を向上させた高品質な食器洗い機を実現できる。
【００１４】
第３の発明は、第１または第２の発明において、前記シール部材は、前記屈曲部を複数備え、前記扉体が前記開口部を閉塞する時、前記複数の屈曲部が前記シール部材当接部と当接する形状としたことにより、シール部材がシール部材当接部と当接した際に各屈曲部が連動して屈曲変形し、シール部材当接部と当接した際の抵抗を軽減し、屈曲性能を向上させることができる。また、扉体閉塞時のシール部材の変形による反発力を低減し、閉塞の作業性を向上させた高品質な食器洗い機を実現できる。
【００１５】
第４の発明は、第１〜第３のいずれかの発明において、前記シール部材は、前記扉体が前記開口部を閉塞する時、前記シール部材当接部に対して摺動する部位に前記屈曲部を有する形状としたことにより、シール部材がシール部材当接部と当接した後も扉体閉塞に至るまで抵抗を軽減し、屈曲性能を向上させることができる。また、シール部材の変形による反発力を低減し、閉塞の作業性を向上させた高品質な食器洗い機を実現できる。
【００１６】
第５の発明は、第１〜第４のいずれかの発明において、前記シール部材は、その先端部に鞭形状を有する形状としたことにより、シール部材がシール部材当接部に当接した後の摺動時の接触抵抗を軽減することができる。また、シール部材の変形による反発力を低減し、閉塞の作業性を向上させた高品質な食器洗い機を実現できる。
【００１７】
第６の発明は、第１〜第５のいずれかの発明において、前記シール部材は、前記扉体が前記開口部を閉塞した時に前記シール部材当接部と当接する複数のシール部を有し、その少なくとも一つのシール部に前記屈曲部を配した構成により、各シール部が当接する時の抵抗を軽減し、屈曲性能を向上させることができる。また、シール部材の変形による反発力を低減し、閉塞の作業性を向上させた高品質な食器洗い機を実現できる。
【００１８】
第７の発明は、第６の発明において、前記シール部材当接部は複数の当接部で構成され、前記シール部材は、前記扉体が前記開口部を閉塞する時、前記複数のシール部が、前記複数の当接部のうち、それぞれ異なる当接部に順次連続して摺動し、それぞれ当該当接部との間をシールするように構成したことにより、屈曲に要する力の合成を回避し、シール部材の変形による反発力を低減し、閉塞の作業性を向上させた高品質な食器洗い機を実現できる。
【００１９】
以下、本発明の実施の形態について、図面を参照しながら説明する。なお、この実施の形態によって本発明が限定されるものではない。
【００２０】
（実施の形態１）
図１〜図６は、本発明の実施の形態１における食器洗い機の構成を示している。図１はシール部材１を含んで切断される位置における食器洗い機の側面断面図、図２は同食器洗い機の扉体の構成を示す図である。
【００２１】
図１において、洗浄水を噴射して食器などの被洗浄物１０を洗浄する食器洗い機は、本体２内部に洗浄槽６が設けられている。また、本体２は前面部に被洗浄物１０を出し入れするための開口部４を有している。洗浄槽６の内部には、被洗浄物１０をセットする食器かご１１が開口部４から出し入れ可能に収容されている。食器かご１１は、洗浄槽６の下部に配置される様に構成されている。洗浄槽６内の下部には、主に食器かご１１にセットされた被洗浄物１０に洗浄水を噴射して洗浄する洗浄ノズル９が設けられている。また、洗浄槽６外の下方には、洗浄槽６の内底部に設けた水溜部７から洗浄水を吸引し、洗浄ノズル９へ供給する洗浄ポンプ８が配置されている。
【００２２】
開口部４は、扉体５により開閉されるよう構成されている。図１及び図２において、扉体５は、開口部４の下部をシールするシール部材１を有している。扉体５は、扉体開閉機構（図示せず）によって可逆的に開閉動作されるように構成され、扉体５は、開口部４下端部で支持軸１２により回転自在に軸支され、開放初期においては開口部４に対してほぼ直角方向に前方に回転移動し、開口部４の前下方にその内面が上向き略水平となる位置まで開成する。扉体５閉塞時にはフック部５ｄが本体２に係止されることで施錠状態となり、扉体５に設けられた施錠解除ボタン５ｅを押すことで前記フック部５ｄが本体２より自由となり開錠状態となる。また、扉体５は、上部・側部シール部材圧接部１４が洗浄槽６前面の上部及び左右側部に備えられた上部・側部シール部材１３に当接することによって、開口部４の上部及び左右側部を水密にシールして閉塞する。
【００２３】
次に、扉体５の下部に備えられたシール部材１について詳しく説明する。図３は本発明の実施の形態１における食器洗い機の開口部下部をシールするシール部材の側面図、図４は同食器洗い機のシール部材の扉体への取り付け構成を示す説明図である。
【００２４】
図３において、シール部材１はゴムを一体成形して形成され、開口部４のほぼ全幅に対応する幅寸法に形成されている。シール部材１は、扉体５に嵌入保持される複数のフック部１ｄを上端部に有し、フック部１ｄより下方に、洗浄槽６の前面底部内壁に設けられた傾斜状のシール部材当接部３をシールするシール部１ａと、シール部材当接部３をシールするとともにシール部材当接部３を汚染から保護する洗浄槽汚れ防止部１ｂとを有している。
【００２５】
洗浄槽汚れ防止部１ｂは、シール部１ａよりも下方に長く垂下させて形成され、扉体５の閉塞動作時の屈曲変形を容易にするためのシール面側に突出した屈曲部１ｃが複数箇所（本実施の形態１では２箇所）設けられている。これら複数箇所の屈曲部１ｃは、洗浄槽６のシール部材当接部３と当接する側に突出し、屈曲を容易にするため、突出させた部分の裏面を除肉した形状である。また、洗浄槽汚れ防止部１ｂの先端部であり、シール部材１の先端部でもある先端部１ｅは、シール部材当接部３と当接する側とは反対方向に反らせた鞭状に形成されている。また、シール部１ａの根元部分にも屈曲を容易にするための屈曲部１ｆが設けられている。
【００２６】
図２及び図４に示すように、シール部材１は支持軸１２に近い扉体５の下部に挟み込むように備え付けられ、扉体５の最下端部を形成する。このシール部材１の取り付けは、扉体５の洗浄槽側部品５ｂに組み込まれた後、表側部品５ａを被せることで固定される。この時、シール部材１は、洗浄槽汚れ防止部１ｂがシール部１ａより内側（洗浄槽６側）に位置するように扉体５の洗浄槽側部品５ｂに当接し、洗浄槽側部品５ｂに設けられた溝部５ｃにシール部材１のフック部１ｄを嵌め込むことで取り付けられる。シール部材１が扉体５に取り付けられた状態では、シール部１ａと洗浄槽汚れ防止部１ｂは共に扉体５の前面５ｆとほぼ平行となっている。
【００２７】
次に、以上のように構成した食器洗い機について、その動作及び作用を説明する。食器洗い機としての基本動作及び作用については、洗浄ノズルから洗浄水を噴射して被洗浄物を洗浄する一般的な食器洗い機と同様であるので説明を省略し、扉体５の開閉に伴うシール部材１の動作及び作用について、以下に説明する。図５（ａ）、（ｂ）及び図６（ａ）、（ｂ）は、本発明の実施の形態１における食器洗い機の、扉体開閉時の各段階における状態を示す側面図及びシール部材近傍の要部拡大断面図である。
【００２８】
まず、図５（ａ）に示すように、シール部材１は扉体５開成状態では完全に洗浄槽６のシール部材当接部３からは離れた位置にあり、図５（ｂ）に示すように、扉体５の閉塞動
作に伴って洗浄槽６のシール部材当接部３に近接して行き、先ずシール部材１の先端部１ｅが当接し、続いて洗浄槽汚れ防止部１ｂが、その根元部へと順次洗浄槽６のシール部材当接部３に当接しつつ、洗浄槽６の外側方向に摺動し、摺動する部分に位置する２箇所の屈曲部１ｃで主として屈曲変形して、シール部材当接部３の各部をシールする。この際、洗浄槽汚れ防止部１ｂは、扉体５の前面５ｆとほぼ平行に取り付けられているので、シール部材当接部３に対してほぼ垂直に位置する状態で当接が開始される。
【００２９】
また、先端部１ｅは、シール部材当接部３と当接する側とは反対方向に反らせた鞭状に形成されているので、洗浄槽汚れ防止部１ｂのシール部材当接部３への当接当初はシール部材当接部３に当接するが、洗浄槽汚れ防止部１ｂが屈曲部１ｃで屈曲変形することによって、シール部材当接部３には接触しなくなる。
【００３０】
さらに扉体５の閉塞が進むと、図６（ａ）に示すように、シール部材１のシール部１ａも、その先端部から根元部へと順次シール部材当接部３に当接し、主として屈曲部１ｆで屈曲変形してシール部材当接部３をシールする。この際、シール部１ａは、扉体５の前面５ｆとほぼ平行に取り付けられているので、シール部材当接部３に対してほぼ垂直に位置する状態で当接が開始される。
【００３１】
扉体５が開口部４を完全に閉塞すると、図１に示すように、扉体５は上部・側部シール部材圧接部１４（図４参照）で本体２に備えられた上部・側部シール部材１３を圧接する。この時、扉体５に備えられたシール部材１は、図６（ｂ）に示すように、シール部１ａと洗浄槽汚れ防止部１ｂのいずれもが洗浄槽６のシール部材当接部３に圧接する。
【００３２】
次に、扉体５の閉塞状態における、シール部１ａ及び洗浄槽汚れ防止部１ｂのシール部材当接部３への圧接、シール状態について詳しく説明する。洗浄槽６のシール部材当接部３は、図５（ａ）に示すように、主として３つの連続する当接部で構成されている。３つの連続する当接部は、開口部４から近い順に、第１の傾斜部３ａ、第２の傾斜部３ｂ、第３の傾斜部３ｃである。３つの傾斜部とも、洗浄槽６の内側に向かって下る方向の傾斜を有している。第２の傾斜部３ｂの傾斜は、第１の傾斜部３ａ及び第３の傾斜部３ｃよりも急傾斜に構成してある。
【００３３】
また、図６（ｂ）に示すように、扉体５が開口部４を完全に閉塞した状態において、シール部材１のシール部１ａはシール部材当接部３の第１の傾斜部３ａに圧接され、その部位をシールする。洗浄槽汚れ防止部１ｂは、２箇所の屈曲部１ｃのうち根元に近い方の屈曲部１ｃを中心とした部分が第２の傾斜部３ｂに圧接され、根元から遠い方の屈曲部１ｃを中心とした部分が第３の傾斜部３ｃに圧接され、それぞれ当該部位をシールする。
【００３４】
本発明の食器洗い機によれば、シール部材１のシール部１ａと洗浄槽汚れ防止部１ｂは共に扉体５の前面５ｆとほぼ平行となるように扉体５に組み付けられているので、シール部材１のシール部１ａと洗浄槽汚れ防止部１ｂは、扉体５閉塞動作時にシール部材当接部３に対してほぼ垂直に位置する状態で当接が開始され、当接部が屈曲変形する。この際、シール部材１は扉体５の回転方向により洗浄槽６側に折り曲げられる。これによりシール部材当接部３へかかる力の方向は変わらないため、シール性能は維持できる。また、シール面側に突出した屈曲部１ｃは前記屈曲変形動作が少ない力でスムーズに行われることを容易にしている。
【００３５】
シール部材１の屈曲部１ｃは、シール部材当接部３と当接する側すなわちシール面側に突出することで、洗浄槽６のシール部材当接部３と接触する面積を小さくし、接触抵抗を軽減する。また、屈曲部１ｃの突出部反対側を除肉して凹部を形成することで屈曲部１ｃにおける屈曲を容易にし、屈曲性能を向上することができるとともに、洗浄槽汚れ防止部
１ｂがシール部材当接部３に当接して屈曲する際の抵抗を軽減することができる。
【００３６】
シール部材１の屈曲部１ｃは、洗浄槽汚れ防止部１ｂの屈曲変形する部位に複数設けることで、各部個別にかつ連動して変形することが可能となる。これにより、屈曲性能を向上し、扉体５の閉塞動作時の反発力を低減することができる。なお、複数の屈曲部１ｃはすべて同じ形状である必要はなく、配置される箇所ごとにそれぞれ適切な異なる形状、大きさの屈曲形状を創設してもよい。
【００３７】
シール部材１の屈曲部１ｃは、扉体５の閉塞動作時にシール部材当接部３に対して摺動する摺動面に設けることで、扉体５の閉塞動作中、シール部材１の摺動時に同部を屈曲変形させることができる。これにより、摺動抵抗を軽減し、扉体５閉塞動作の作業性を向上することができる。
【００３８】
シール部材１の先端部１ｅは、シール部材当接部３と当接する側とは反対方向に反らせた鞭状に形成されることで、シール部材当接部３と当接した際、接触抵抗を軽減することができる。また、その後、扉体５の閉塞に到るまでの摺動抵抗も軽減することができる。なお、先端部１ｅは必ずしも鞭形状である必要はなく、接触抵抗を軽減できれば球体形状でも良い。
【００３９】
シール部材１は、その洗浄槽汚れ防止部１ｂに、根元に近い方の屈曲部１ｃを中心とした部分と根元から遠い方の屈曲部１ｃを中心とした部分との複数のシール部を有しており、これにより、シール性能を向上させるとともに、屈曲部１ｃの近傍における支持部としての機能を持ち、扉体５の閉塞動作時のシール部材１の屈曲性能が向上する。
【００４０】
シール部材１は、そのシール部１ａ及び洗浄槽汚れ防止部１ｂが洗浄槽６のシール部材当接部３を重なることなく各々異なる部位をシールする。これにより、重複による屈曲性能の低下を防ぐことができる。また、各部位が順次連続して変形していくため、全く同時には別位置の屈曲を行わない。これにより、屈曲に要する力の合成をずらしてある程度回避し、より少ない力でスムーズに扉体５の閉塞を行うことができる。
【００４１】
また、シール部材１は洗浄槽６の傾斜状のシール部材当接部３に対する接触角度には大きな変化がなく、シール部材当接部３へかかる力の方向は変わらないため、扉体５を閉塞するほど反発力が増加することが抑制され、シール性能を阻害することなく、扉体５の閉塞動作の作業性と施錠解除時の安全性を向上させることができる。
【００４２】
なお、本実施の形態では、シール部材１はゴムを成形して構成したが、必ずしもゴム製である必要はなく、また、反発力低減に関しては、全体がゴム製である必要はなく、少なくともシール面と屈曲変形部位がゴムで構成されていれば、その効果を得ることができる。
【００４３】
また、本実施の形態では、屈曲部１ｃは洗浄槽汚れ防止部１ｂにのみ設けたが、シール部１ａに設けた場合も同様の効果を得ることができる。
【産業上の利用可能性】
【００４４】
以上のように、本発明にかかる食器洗い機は、扉体の開閉動作時の操作力が小さく、安全性の高い高品質な食器洗い機であり、卓上型食器洗い機に限らずビルトイン・業務用の食器洗浄機に適用できる。
【符号の説明】
【００４５】
１  シール部材
１ａ  シール部
１ｂ  洗浄槽汚れ防止部
１ｃ、１ｆ  屈曲部
１ｄ  フック部
１ｅ  先端部
２  本体
３  シール部材当接部
３ａ  第１の傾斜部（当接部）
３ｂ  第２の傾斜部（当接部）
３ｃ  第３の傾斜部（当接部）
４  開口部
５  扉体
５ａ  表側部品
５ｂ  洗浄槽側部品
５ｃ  溝部
５ｄ  フック部
５ｅ  施錠解除ボタン
５ｆ  前面
６  洗浄槽
７  水溜部
８  洗浄ポンプ
９  洗浄ノズル
１０  被洗浄物
１１  食器かご
１２  支持軸
１３  上部・側部シール部材
１４  上部・側部シール部材圧接部
【図１】
2014012059.tif 000003
【図２】
2014012059.tif 000004
【図３】
2014012059.tif 000005
【図４】
2014012059.tif 000006
【図５】
2014012059.tif 000007
【図６】
2014012059.tif 000008
【図７】
2014012059.tif 000009
【図８】
2014012059.tif 000010